(57)【特許請求の範囲】
【請求項１】
接地側に切欠部を有する整地体と、
整地体の切欠部に着脱可能のカバー体と、
整地体の切欠部にカバー体を固定する固定手段とを備え、
固定手段は、
整地体の切欠部に臨む複数箇所に設けられた一方の嵌合部と、
カバー体の複数箇所にそれぞれ設けられカバー体を整地体の進行方向に対し直交する方向へスライドさせることにより複数箇所の一方の嵌合部にそれぞれ嵌脱自在の他方の嵌合部と、
一方の嵌合部に対する他方の嵌合部の嵌合状態を保持するバックル型のワンタッチクランプである抜止金具とを具備し、
抜止金具の締付方向と一方および他方の嵌合部の嵌脱方向とが互いに平行になっている
ことを特徴とする整地装置。
【請求項２】
一方の嵌合部は、整地体の切欠部に臨む上部および下部にそれぞれ設けられ、
他方の嵌合部は、カバー体の上部および下部にそれぞれ設けられた
ことを特徴とする請求項１記載の整地装置。
【請求項３】
一方の嵌合部は雌形部材により形成され、
他方の嵌合部は雄形部材により形成された
ことを特徴とする請求項１または２記載の整地装置。
【請求項４】
雄形部材は、
カバー体からスライド方向に突出されたものと、スライド方向とは逆方向に突出されたものとを有し、
スライド方向とは逆方向に突出された雄形部材は、Ｕ形に折曲形成された先端部を有する
ことを特徴とする請求項３記載の整地装置。
【請求項５】
接地側に切欠部を有する整地体と、
整地体の切欠部に着脱可能のカバー体と、
整地体の切欠部にカバー体を固定する固定手段とを備え、
固定手段は、
整地体の切欠部に臨む複数箇所に設けられた一方の嵌合部と、
カバー体の複数箇所にそれぞれ設けられカバー体を整地体の進行方向に対し直交する方向へスライドさせることにより複数箇所の一方の嵌合部にそれぞれ嵌脱自在の他方の嵌合部と、
一方の嵌合部に対する他方の嵌合部の嵌合状態を保持するバックル型のワンタッチクランプである抜止金具とを具備し、
抜止金具は、整地体に固定されたフック、およびカバー体にレバーの操作により移動自在に設けられフックと係合する止金を有し、
抜止金具のレバーの押倒し操作によりフックと係合した止金が引寄せられてカバー体がスライド方向へ押圧されることにより一方の嵌合部に対する他方の嵌合部の嵌合状態が固定され、レバーの跳上げ操作によりその固定が解除される
ことを特徴とする整地装置。
【請求項６】
移動しながら土を耕す耕耘作業体と、
耕耘作業体の後方に配置された請求項１乃至５のいずれかに記載の整地装置と
を具備したことを特徴とする農作業機。
【発明の詳細な説明】
【０００１】
【発明の属する技術分野】
本発明は、切欠部を有する整地装置および農作業機に関する。
【０００２】
【従来の技術】
図６に示されるように、トラクタ１の後部に牽引装置２を介して耕耘装置３が装着され、この耕耘装置３は、ロータリ耕耘部（図示せず）の後方に整地体４を備え、この整地体４は、中央部および左右両側部の接地側に切欠部５，６を有する。さらに、これらの切欠部５，６より後方に畝成形体７または８が取付けられている。そして、整地体４により畝９の上面が整地および成形され、また畝成形体７または８により畝間の溝形状が成形されている。
【０００３】
前記整地体４の全幅で整地作業をする場合は、前記切欠部５，６をカバー体により閉じる必要があり、例えば、実開平４−３０８０１号公報、実開平４−６０００１号公報に示されるように、整地体の切欠部に設けられたカバー体を、カバー体の下部に設けられた支持軸と、上部に設けられた取付具とにより固定する技術が示されている。
【０００４】
【発明が解決しようとする課題】
前記取付具は、バックル型のもので、カバー体の面に沿った取付方向すなわち上下方向には強い締付力を発揮するが、取付具が設けられたカバー体の面と反対側から直交する方向の力を受けた場合、例えばカバー体の進行方向の前面に強い土圧や衝撃が作用する場合は、耐えられないおそれもある。
【０００５】
一方、ボルトなどにより整地体の切欠部にカバー体を固定すると、そのカバー体は強い土圧などにも耐えられるが、カバー体の着脱に手間がかかり、作業性を損なう。
【０００６】
本発明は、このような点に鑑みなされたもので、整地体の切欠部に対しカバー体を容易に着脱できるとともに、カバー体の装着時はそのカバー体の装着状態を確実に維持できるようにすることを目的とするものである。
【０００７】
【課題を解決するための手段】
請求項１に記載された発明は、接地側に切欠部を有する整地体と、整地体の切欠部に着脱可能のカバー体と、整地体の切欠部にカバー体を固定する固定手段とを備え、固定手段は、整地体の切欠部に臨む複数箇所に設けられた一方の嵌合部と、カバー体の複数箇所にそれぞれ設けられカバー体を整地体の進行方向に対し直交する方向へスライドさせることにより複数箇所の一方の嵌合部にそれぞれ嵌脱自在の他方の嵌合部と、一方の嵌合部に対する他方の嵌合部の嵌合状態を保持するバックル型のワンタッチクランプである抜止金具とを具備し、抜止金具の締付方向と一方および他方の嵌合部の嵌脱方向とが互いに平行になっている整地装置であり、これにより、嵌合部の嵌脱操作と抜止金具の操作のみで、整地体の切欠部に対しカバー体を容易に着脱できるとともに、カバー体の装着時は一方の嵌合部と他方の嵌合部とが嵌合する複数の嵌合部分がカバー体に作用する外力を受けるから、例えばカバー体に強い土圧や衝撃が作用する場合でも、カバー体の装着状態を確実に維持できる。
【０００８】
請求項２に記載された発明は、請求項１記載の整地装置における一方の嵌合部が、整地体の切欠部に臨む上部および下部にそれぞれ設けられ、他方の嵌合部が、カバー体の上部および下部にそれぞれ設けられたものであり、これにより、上部および下部の嵌合部でカバー体に作用する外力をバランス良く受けることができる。
【０００９】
請求項３に記載された発明は、請求項１または２記載の整地装置における一方の嵌合部が雌形部材により形成され、他方の嵌合部が雄形部材により形成されたものであり、これにより、整地体側の一方の嵌合部を雌形部材としたことで、カバー体を取外したときはこのカバー体側の雄形部材もなくなるから、この雄形部材が整地体の切欠部に突出することもなく、切欠部に突出する場合に生ずる変形を防止できる。
【００１０】
請求項４に記載された発明は、請求項３記載の整地装置における雄形部材が、カバー体からスライド方向に突出されたものと、スライド方向とは逆方向に突出されたものとを有し、スライド方向とは逆方向に突出された雄形部材は、Ｕ形に折曲形成された先端部を有するものであり、これにより、カバー体をスライドする側の雄形部材だけでなく、反対側の、Ｕ形に折曲形成された先端部を有する雄形部材によっても、カバー体を確実に固定できる。
【００１１】
請求項５に記載された発明は、接地側に切欠部を有する整地体と、整地体の切欠部に着脱可能のカバー体と、整地体の切欠部にカバー体を固定する固定手段とを備え、固定手段は、整地体の切欠部に臨む複数箇所に設けられた一方の嵌合部と、カバー体の複数箇所にそれぞれ設けられカバー体を整地体の進行方向に対し直交する方向へスライドさせることにより複数箇所の一方の嵌合部にそれぞれ嵌脱自在の他方の嵌合部と、一方の嵌合部に対する他方の嵌合部の嵌合状態を保持するバックル型のワンタッチクランプである抜止金具とを具備し、抜止金具は、整地体に固定されたフック、およびカバー体にレバーの操作により移動自在に設けられフックと係合する止金を有し、抜止金具のレバーの押倒し操作によりフックと係合した止金が引寄せられてカバー体がスライド方向へ押圧されることにより一方の嵌合部に対する他方の嵌合部の嵌合状態が固定され、レバーの跳上げ操作によりその固定が解除されるものである。
【００１２】
請求項６に記載された発明は、移動しながら土を耕す耕耘作業体と、耕耘作業体の後方に配置された請求項１乃至５のいずれかに記載の整地装置とを具備した農作業機であり、これにより、耕耘作業体により耕された土を整地装置の固定手段により確実に一体化された整地体およびカバー体により均平に整地できる。
【００１３】
【発明の実施の形態】
以下、本発明に係る整地装置および農作業機の一実施の形態を図１乃至図５を参照しながら説明する。
【００１４】
図１および図２において、11は農作業機の機体で、この機体11は、図示しないトラクタと一体となって圃場を進行方向Ｘに向って走行するもので、進行方向Ｘと交差する左右水平方向に長手方向を有する細長で筒形状の主フレーム12を有している。
【００１５】
そして、この主フレーム12の長手方向の左右両端部には、チェーンケース13およびブラケット14の各々の上端部が固着されており、これらのチェーンケース13およびブラケット14は、上下方向に細長く形成され、互いに離間対向した状態で配置されている。
【００１６】
これらの左右のチェーンケース13およびブラケット14の各々の下端部間には、図１および図２に示すように、移動しながら回転により圃場の土を耕す耕耘作業体としての耕耘ロータリ作業体15が回転可能に設けられており、この耕耘ロータリ作業体15は、軸方向が機体11の左右水平方向に一致した耕耘軸16を有し、この耕耘軸16の外周面には複数の耕耘爪17が放射状に固着されている。
【００１７】
また、左右のチェーンケース13およびブラケット14の機体11後側の後端部には、連結板部18，18が形成され、これらの連結板部18，18には左右一対のカバー側板体19，19が連結固定されている。これらのカバー側板体19は、耕耘ロータリ作業体15の左右側方位置で、互いに離間対向した状態で配置され、耕耘ロータリ作業体15の回転に基づく泥などの土の機体11側方への飛散を防止する。
【００１８】
また、左右のチェーンケース13およびブラケット14の各々の上部間には、左右水平方向に長手方向を有する上方に向って少し凸状に湾曲した細長矩形板状のカバー上板体21が固着されている。このカバー上板体21は、耕耘ロータリ作業体15の上方位置に配置され、耕耘ロータリ作業体15の回転に基づく泥などの土の機体11上方への飛散を防止する。
【００１９】
このカバー上板体21の後端部には、整地装置22が取付けられている。この整地装置22は、整地体23の下端側が昇降するように整地体23の上端部がヒンジ部24によりカバー上板体21の後端部に回動可能に連結され、この整地体23の左右両側のアーム連結部25，25には、一端部が主フレーム12に連結された連結アーム26，26の他端部が連結されており、整地体23は、この連結アーム26にて圃場の状況に応じて所定の姿勢に保持され、圃場面を平らに整地する。
【００２０】
また、機体11の主フレーム12の長手方向の中央部には、入力軸31が機体11の前方に向って突設され、この入力軸31には、図示しないトラクタのパワーテイクオフ軸（以下、パワーテイクオフ軸を「ＰＴＯ軸」という）がユニバーサルジョイントなどを介して接続される。
【００２１】
そして、トラクタのＰＴＯ軸からの駆動力が入力軸31に入力されると、この駆動力は、主フレーム12内の駆動軸、チェーンケース13内の図示しないチェーンなどの動力伝達手段を介して耕耘ロータリ作業体15の耕耘軸16に伝達され、この耕耘軸16が回転駆動される。
【００２２】
さらに、機体11の主フレーム12の長手方向の中央部からは、トップマスト32が機体11の前上方に向って突設されており、このトップマスト32の先端部にはトップピン33が取付けられている。
【００２３】
また、主フレーム12の長手方向の中央部近傍には、左右一対の連結用板34，34が固着され、これらの連結用板34，34にボルトおよびナットなどの連結手段35を介して左右一対のロワアーム36，36が固着され、これらのロワアーム36，36の各々の先端部にはロワピン37，37がそれぞれ取付けられている。
【００２４】
これらのトップマスト32のトップピン33と、両ロワアーム36，36のロワピン37，37が、図示されないトラクタの三点リンク機構に連結されることになる。
【００２５】
また、左右一対のロワアーム36，36に、左右水平方向に細長の筒形状に形成された取付フレーム38が固着され、この取付フレーム38の長手方向の両端部近傍には、耕耘ロータリ作業体15の作業量、すなわち土中の深さ位置を一定に保持しながら圃場面に沿ってトラクタの車輪の後方位置で走行可能な左右一対のゲージ輪として機能する接地輪39，39が、接地輪取付手段40，40を介して取付けられている。
【００２６】
これらの接地輪取付手段40，40は、取付フレーム38に取付板41を介して接地輪用ホルダ部材42が固定され、この接地輪用ホルダ部材42にはピン挿通孔43が機体11の左右方向に向って開口形成されている。接地輪用ホルダ部材42には、下端部に前記接地輪39が取付けられた上下方向に細長状のアーム44が挿通されており、このアーム44には複数のピン抜差孔45が機体11の左右方向に向って、かつ等間隔を介してアーム44の長手方向に沿って一列状に開口されている。
【００２７】
そして、両接地輪39，39の各々は、高さ位置調節可能でかつ取外可能である。接地輪39，39の高さ位置調節は、圃場の状況に応じて選択された一つのピン抜差孔45に、接地輪係止用の止めピン46が、接地輪用ホルダ部材42のピン挿通孔43を通して差し込まれることにより、アーム44が接地輪用ホルダ部材42に固定され、接地輪39が所定高さ位置に調節された状態で保持されている。また、アーム44の上端部には着脱可能にハンドル47が装着されている。
【００２８】
次に、図３に示されるように、前記整地装置22の整地体23には、接地側を円弧状に折返して閉じた形状の折返部51が設けられ、また、中央部の接地側に左右対称形の台形状に形成された切欠部52が設けられ、さらに、左右両側部の接地側に片側を切落とした台形状に形成された切欠部53，54がそれぞれ設けられている。
【００２９】
この整地体23の各切欠部52，53，54には、それぞれの切欠部とほぼ同様の形状に形成されたカバー体55，56，57が、図１および図３に示されるように着脱可能に設けられている。
【００３０】
図４に示されるように中央部のカバー体55は、前記整地体23の折返部51，51間に位置する円筒部58を接地側に有し、この接地側を除く周縁部に切欠部52の縁部と係合する係合縁部59を有している。
【００３１】
また、図５に示されるように左右両側部のカバー体56，57は、前記整地体23の折返部51の延長上に位置する同様の折返部61を接地側にそれぞれ有し、整地体23の一側端および他側端の端板62と係合する側板63をそれぞれ有し、整地体23の切欠部53，54の縁部と係合する係合縁部64をそれぞれ有している。
【００３２】
整地体23の各切欠部52，53，54に、図１に示されるように各カバー体55，56，57がそれぞれ固定手段65，66，67により固定されている。
【００３３】
中央部に位置するカバー体55の固定手段65は、図４に示されるように整地体23の切欠部52に臨む上部左右と下部左右の複数箇所に設けられた一方の嵌合部71，72，73，74と、カバー体55の上部左右と下部左右の複数箇所にそれぞれ設けられカバー体55を整地体23の進行方向に対し直交する方向へスライドさせることにより複数箇所の一方の嵌合部71，72，73，74にそれぞれ嵌脱自在の他方の嵌合部75，76，77，78と、一方の嵌合部71，72，73，74に対する他方の嵌合部75，76，77，78の嵌合状態を保持する抜止金具79とを具備したものである。
【００３４】
図３に示されるように、前記整地体23の切欠部52の上部を介して相互に対向する前記一方の嵌合部71，72は、整地体23の進行方向とは反対側の面に一体に取付けられた円筒形の雌形部材であり、また、整地体23の切欠部52の下部を介して相互に対向する前記一方の嵌合部73，74は、整地体23の折返部51内に一体に嵌着された円筒形の雌形部材である。
【００３５】
切欠部52の下部右側に位置する一方の嵌合部74を覆う前記折返部51には、一方の嵌合部74に他方の嵌合部78を挿入するための角穴状の挿入窓部80が開口されている。
【００３６】
一方、カバー体55の上部および下部の左側に位置する他方の嵌合部75，77は、カバー体55からスライド方向S1へストレートに突出されているピン状に形成された雄形部材であり、また、カバー体55の上部および下部の右側に位置する他方の嵌合部76，78は、カバー体55からスライド方向S1とは逆方向に突出されてからＵ形に折曲形成された先端部76a，78aをそれぞれ有する雄形部材である。
【００３７】
さらに、前記抜止金具79は、一方および他方の嵌合部71〜78と平行に設けられたバックル型のワンタッチクランプであり、整地体23の切欠部52に臨む左側の中段縁部にフック81が固定され、カバー体55の左側中段部にこのフック81と係合する止金82がレバー83の回動操作により移動自在に設けられている。
【００３８】
そして、この抜止金具79をロック操作するときは、レバー83の押倒し操作によりフック81と係合した止金82を引寄せてカバー体55を前記スライド方向S1へ押圧することにより、一方の嵌合部71，72，73，74に対する他方の嵌合部75，76，77，78の嵌合状態を固定し、また、レバー83の跳上げ操作によりその固定を解除する。
【００３９】
次に、図３に示されるように、左右両側部に位置するカバー体56，57の固定手段66，67は、整地体23の切欠部53，54に臨む上部と下部の複数箇所に設けられた一方の嵌合部91，92，93，94と、カバー体56，57の上部と下部の複数箇所にそれぞれ設けられカバー体56，57を整地体23の進行方向に対し直交する方向S2，S3へスライドさせることにより複数箇所の一方の嵌合部91，92，93，94にそれぞれ嵌脱自在の他方の嵌合部95，96，97，98と、一方の嵌合部91，92，93，94に対する他方の嵌合部95，96，97，98の嵌合状態を保持する抜止金具99，100とを具備したものである。
【００４０】
前記切欠部53，54の上部に設けられた前記一方の嵌合部91，93は、整地体23の端板62に一体に取付けられた円筒形の雌形部材であり、また、切欠部53，54の下部に対して設けられた前記一方の嵌合部92，94は、整地体23の折返部51内に一体に嵌着された円筒形の雌形部材である。
【００４１】
一方、カバー体56，57の上部に位置する他方の嵌合部95，97は、カバー体56，57の側板63の上部からスライド方向S2，S3へストレートに突出されているピン状に形成された雄形部材であり、また、カバー体56，57の下部に位置する他方の嵌合部96，98は、カバー体56，57の折返部61の内端側部からスライド方向S2，S3へストレートに突出されているピン状に形成された雄形部材である。
【００４２】
さらに、前記抜止金具99，100は、一方および他方の嵌合部91〜98と平行に設けられたバックル型のワンタッチクランプであり、整地体23の切欠部53，54に臨む中段縁部にそれぞれフック101が固定され、カバー体56，57の中段部にそれぞれフック101と係合する止金102がレバー103の回動操作により移動自在に設けられている。
【００４３】
そして、この抜止金具99，100をロック操作するときは、レバー103の押倒し操作によりフック101と係合した止金102を引寄せてカバー体56，57を前記スライド方向S2，S3へ押圧することにより、一方の嵌合部91，92，93，94に対する他方の嵌合部95，96，97，98の嵌合状態を固定し、また、レバー103の跳上げ操作によりその固定を解除する。
【００４４】
次に、この実施の形態の作用を説明する。
【００４５】
耕耘作業をするに当って、まず、図示しないトラクタの三点リンク機構に、図示しないカプラを介して機体11のトップマスト32およびロワアーム36，36からなるトラクタ三点連結部を連結するとともに、トラクタのＰＴＯ軸にユニバーサルジョントなどを介して機体11の入力軸31を接続する。
【００４６】
その後、圃場内でトラクタにより機体11を、進行方向Ｘに向けて牽引し走行させると、トラクタからの駆動力を受けて駆動回転中の耕耘ロータリ作業体15にて耕耘砕土作業が行われ、整地体23にて圃場面が平らに整地される。なお、耕耘ロータリ作業体15の土の中への沈込は接地輪39にて規制されるため、一定の土中深さ位置を走行し、耕耘ロータリ作業体15の作業量は一定に保持される。
【００４７】
この耕耘砕土作業にて、整地体23の全幅にわたって均平作業をする場合は、図１に示されるように、整地体23の切欠部52，53，54にカバー体55，56，57をそれぞれ固定手段65，66，67により装着する。
【００４８】
これらのカバー体55，56，57の装着は、整地体23側の一方の嵌合部71〜74，91〜94に対し、カバー体55，56，57側の他方の嵌合部75〜78，95〜98の先端をそれぞれ対向させて位置合せし、カバー体55，56，57をスライド方向S1，S2，S3にそれぞれスライドすることにより、整地体23の中央部における一方の嵌合部71〜74に対してカバー体55の他方の嵌合部75〜78を嵌合させるとともに、整地体23の左右両側部における一方の嵌合部91〜94に対してカバー体56，57の他方の嵌合部95〜98を嵌合させ、最後に抜止金具79，99，100をロック操作して、図１に示されるように整地体23の切欠部52，53，54にカバー体55，56，57をそれぞれ装着する。
【００４９】
このとき、上部の嵌合部71，75、72，76、91，95、93，97および下部の嵌合部73，77、74，78、92，96、94，98で各カバー体55，56，57に作用する外力をそれぞれバランス良く受けることができる。
【００５０】
また、中央部のカバー体55は、スライドする側の雄形部材の嵌合部75，77だけでなく、反対側にもＵ形に折曲形成された雄形部材の嵌合部76，78を設けて、カバー体55の上下左右の対称位置を嵌合部71〜74，75〜78により確実に固定できる。
【００５１】
さらに、各カバー体55，56，57の抜止金具79，99，100は、それらの締付力が嵌合部の嵌合状態を保持する上で最も有効な方向に作用して、抜止保持を確実にできる。
【００５２】
このように、各嵌合部の嵌脱操作と各抜止金具79，99，100の操作のみで、整地体23の切欠部52，53，54に対し各カバー体55，56，57をそれぞれ容易に着脱できるとともに、カバー体55，56，57の装着時は一方の嵌合部71〜74，91〜94と他方の嵌合部75〜78，95〜98とが嵌合する複数の嵌合部分がカバー体55，56，57に作用する外力を受けるから、例えばカバー体55，56，57に強い土圧や衝撃が作用する場合でも、カバー体55，56，57の装着状態を確実に維持できる。
【００５３】
すなわち、各カバー体55，56，57にそれぞれ設けられた複数の嵌合部により各カバー体55，56，57を位置決めするとともに、土圧などの力を直接受けるから、土圧などによる変形を防止でき、また、抜止金具79，99，100は、各嵌合部の抜けを防止するもので、この抜止金具79，99，100には土圧などが直接作用しないから、土圧などの、各カバー体55，56，57の面に対し直角に作用する力により外れるおそれがない。
【００５４】
このようにして、整地装置22の固定手段65，66，67により確実に一体化された整地体23およびカバー体55，56，57により、耕耘ロータリ作業体15により耕された土を均平に整地できる。
【００５５】
一方、耕耘砕土作業をしながら、畝を成形する場合は、抜止金具79，99，100を外して、カバー体55，56，57を装着時のスライド方向S1，S2，S3とは逆方向にスライドすることにより、一方の嵌合部71〜74に対する他方の嵌合部75〜78の嵌合状態を解除するとともに、一方の嵌合部91〜94に対する他方の嵌合部95〜98の嵌合状態を解除して、図３に示されるように整地体23の各切欠部52，53，54から各カバー体55，56，57を取外した後、切欠部52，53，54の後方に畝成形体７，８（図６）を取付ける。
【００５６】
このとき、整地体23側の一方の嵌合部71〜74，91〜94を雌形部材としたことで、カバー体55，56，57を取外したときはこのカバー体側の雄形部材もなくなるから、整地体23の切欠部52，53，54に雄形部材が突出することもなく、切欠部52，53，54に雄形部材が突出する場合に生ずる変形を防止できる。
【００５７】
左右両側のカバー体56，57を脱着する際は、整地体23をヒンジ24を支点に上方へ持上げて保持し、左右のカバー体56，57を取外すようにする。
【００５８】
なお、図示されない実施の形態として、一方の嵌合部71〜74，91〜94を雌形部材としたが、これらを雄形部材とし、他方の嵌合部75〜78，95〜98を雄形部材としたが、これらを雌形部材としても良い。
【００５９】
さらに、抜止金具79，99，100は、水平に取付けることにより、これらの締付力が嵌合部の嵌合状態を保持する上で最も有効な方向に作用するが、これらの抜止金具79，99，100を斜めに取付けても、締付力の水平方向の力成分が嵌合保持力となるので、これらの抜止金具79，99，100を傾斜状に取付けても良い。
【００６０】
【発明の効果】
請求項１記載の発明によれば、嵌合部の嵌脱操作と抜止金具の操作のみで、整地体の切欠部に対しカバー体を容易に着脱できるとともに、カバー体の装着時は一方の嵌合部と他方の嵌合部とが嵌合する複数の嵌合部分がカバー体に作用する外力を受けるから、例えばカバー体に強い土圧や衝撃が作用する場合でも、カバー体の装着状態を確実に維持できる。
【００６１】
請求項２記載の発明によれば、上部および下部の嵌合部でカバー体に作用する外力をバランス良く受けることができる。
【００６２】
請求項３記載の発明によれば、整地体側の一方の嵌合部を雌形部材としたことで、カバー体を取外したときはこのカバー体側の雄形部材もなくなるから、この雄形部材が整地体の切欠部に突出することもなく、切欠部に突出する場合に生ずる変形を防止できる。
【００６３】
請求項４記載の発明によれば、カバー体をスライドする側の雄形部材だけでなく、反対側の、Ｕ形に折曲形成された先端部を有する雄形部材によっても、カバー体を確実に固定できる。
【００６４】
請求項５記載の発明によれば、嵌合部の嵌脱操作と抜止金具の操作のみで、整地体の切欠部に対しカバー体を容易に着脱できるとともに、カバー体の装着時は一方の嵌合部と他方の嵌合部とが嵌合する複数の嵌合部分がカバー体に作用する外力を受けるから、例えばカバー体に強い土圧や衝撃が作用する場合でも、カバー体の装着状態を確実に維持できる。
【００６５】
請求項６記載の発明によれば、耕耘作業体により耕された土を、整地装置の固定手段により確実に一体化された整地体およびカバー体により均平に整地できる。
【図面の簡単な説明】
【図１】本発明に係る整地装置の一実施の形態を示す正面図である。
【図２】本発明に係る農作業機の一実施の形態を示す側面図である。
【図３】図１に示された整地装置からカバー体を取外した状態を示す正面図である。
【図４】同上整地装置における整地体に中央部のカバー体が装着された状態を示す正面図である。
【図５】同上整地装置における整地体に左側部のカバー体が装着された状態を示す正面図である。
【図６】トラクタの後部に耕耘装置、整地体および畝成形体が取付けられた農作業機を示す斜視図である。
【符号の説明】
15    耕耘作業体としての耕耘ロータリ作業体
22    整地装置
23    整地体
52，53，54    切欠部
55，56，57    カバー体
65，66，67    固定手段
71〜74，91〜94    一方の嵌合部
75〜78，95〜98    他方の嵌合部
79，99，100    抜止金具
76a，78a    先端部
【図１】
0003598047.tif 000002
【図２】
0003598047.tif 000003
【図３】
0003598047.tif 000004
【図４】
0003598047.tif 000005
【図５】
0003598047.tif 000006
【図６】
0003598047.tif 000007